(57)【要約】【課題】幕板の裏面と洗面ボウルの前面部との間の空間を有効に利用することのできる洗面キャビネットを提供する。【解決手段】前面に開閉自在な扉６を備え、上部に洗面ボウル５を嵌設したキャビネット１であって、該キャビネット１の両側板１１の間には、上記洗面ボウル５の前部が見えないように幕板２が設けられ、該幕板２の裏面には吊持部３が固定されるとともに、この吊持部３に保持部４が着脱自在に吊持されてなる洗面キャビネットＡ。好ましくは、吊持部３は幕板２裏面の下部に固定され、その略中央部には幕板２と平行に貫通する貫通孔３１が穿たれ、さらにこの貫通孔３１の内周面に係合溝部が凹設されるとともに、上記保持部４は上記貫通孔３１に着脱自在に嵌挿される支持部材４１を備え、この支持部材４１には上記係合溝部に係合する係合突起４１１が凸設される。【選択図】図１
2008093061.tif 000002
【特許請求の範囲】
【請求項１】
前面に開閉自在な扉を備え、上部に洗面ボウルを嵌設したキャビネットであって、該キャビネットの両側板の間には、上記洗面ボウルの前部が見えないように幕板が設けられ、該幕板の裏面には吊持部が固定されるとともに、この吊持部に保持部が着脱自在に吊持されてなる洗面キャビネット。
【請求項２】
上記吊持部は幕板裏面の下部に固定され、その略中央部には幕板と平行に貫通する貫通孔が穿たれ、さらにこの貫通孔の内周面に係合溝部が凹設されるとともに、上記保持部は上記貫通孔に着脱自在に嵌挿される支持部材を備え、この支持部材には上記係合溝部に係合する係合突起が凸設された請求項１に記載の洗面キャビネット。
【請求項３】
上記吊持部の貫通孔の内周面の上、下、手前側の３ヶ所に係合溝部が凹設された請求項２に記載の洗面キャビネット。
【請求項４】
上記保持部は棒状体を組み合わせて形成され、側面視略Ｌ字型である請求項２に記載の洗面キャビネット。
【発明の詳細な説明】
【技術分野】
【０００１】
本発明は、洗面キャビネットに関する。さらに詳しくは、洗面ボウルの前面部を覆う幕板の裏面奥の空間を収納スペースとして利用できるようにした洗面キャビネットの構造に関する。
【背景技術】
【０００２】
従来、前面開口部に開閉自在な扉が設けられたキャビネットの上部に洗面ボウルを配置して構成された洗面キャビネットにおいて、上記扉が開口したとき、洗面ボウルの正面膨出部が見えないように化粧部材としての幕板が取り付けられている。通常、この幕板はその両端部をキャビネット側板に固着具によって連結固定されている。
【０００３】
しかし、上記のような従来例では、幕板の取り付け部位がキャビネットの両側板だけであるため、取り付け強度が弱いという問題があった。そこで、下記特許文献１においては、幕板の前に幕前板を設け、幕板の取り付け強度を向上させた洗面化粧台が提案されている。すなわち、上部に洗面ボウルを備えたキャビネットの前面に開閉自在な扉を備え、上記キャビネットの前面開口の上部に幕前板を配設するとともに、その下方に幕板を配設し、幕前板および幕板の両端をキャビネットの側板に固着し、さらに、キャビネット内に露出する洗面ボウルの下部前方を覆うボウルカバーを側板間に亘って配設した洗面キャビネットが提案されている。そして、ボウルカバーは幕前板と幕板との間に配置され、幕前板と幕板との長手方向の中央部がそれぞれ、ボウルカバーに連結固定されているので、幕板の取り付け強度が向上するとの効果が記載されている。
【特許文献１】実開平６−７２４８６号公報（第１〜３頁、第１図、第２図）
【発明の開示】
【発明が解決しようとする課題】
【０００４】
しかしながら、上記特許文献１に記載の洗面化粧台は、ボウルカバーを設けることによって幕板の取付け強度は高くなるという効果はあるものの、幕前板と幕板の２つの化粧部材を必要とし、洗面ボウルの前側の空間がデッドスペースとなるという問題がある。本発明はこのような問題を解決して、幕板の裏面と洗面ボウル前面部との間の空間を有効に利用することのできる洗面キャビネットを提供することを、その課題とする。
【課題を解決するための手段】
【０００５】
上記課題を解決するために、本発明においては、つぎのような技術的手段を講じている。すなわち、請求項１に記載の発明によれば、前面に開閉自在な扉を備え、上部に洗面ボウルを嵌設したキャビネットであって、該キャビネットの両側板の間には、上記洗面ボウルの前部が見えないように幕板が設けられ、該幕板の裏面には吊持部が固定されるとともに、この吊持部に保持部が着脱自在に吊持されてなる洗面キャビネットが提供される。
【０００６】
請求項２に記載の洗面キャビネットは、請求項１に記載の発明に加えて、上記吊持部は幕板裏面の下部に固定され、その略中央部には幕板と平行に貫通する貫通孔が穿たれ、さらにこの貫通孔の内周面に係合溝部が凹設されるとともに、上記保持部は上記貫通孔に着脱自在に嵌挿される支持部材を備え、この支持部材には上記係合溝部に係合する係合突起が凸設される。
【０００７】
請求項３に記載の洗面キャビネットは、請求項２に記載の発明に加えて、上記吊持部の貫通孔の内周面の上、下、手前側の３ヶ所に係合溝部が凹設されることが好ましい。
【０００８】
請求項４に記載の洗面キャビネットは、請求項２に記載の発明に加えて、上記保持部は棒状体を組み合わせて形成され、側面視略Ｌ字型とされる。通常、上記棒状体としては、金属パイプあるいはプラスチックスを棒状に成形したものが用いられる。
【発明の効果】
【０００９】
請求項１に記載の発明にかかる洗面キャビネットは上記のとおりであり、洗面ボウルの前部が見えないように設けられた幕板の裏面には吊持部が固定され、この吊持部に保持部が着脱自在に吊持されているため、幕板の裏面と洗面ボウルの前面部との間の空間を上方からタオルや手袋等を吊り下げて仮干ししたり、収納するスペースとして有効に利用することができる。
【００１０】
請求項２に記載の洗面キャビネットは上記のとおりであり、請求項１の洗面キャビネットの有する効果に加え、上記吊持部は、その略中央部に幕板と平行に貫通孔が穿たれ、この貫通孔の内周面に係合溝部が凹設されるとともに、上記保持部に備えられた支持部材は上記貫通孔に着脱自在に嵌挿され、かつ、この支持部材には上記係合溝部に係合する係合突起が凸設されているため、係合突起を係合溝部に係合させることにより、上記吊持部は保持部をしっかりと吊持することが可能となる。
【００１１】
請求項３に記載の洗面キャビネットは上記のとおりであり、請求項２の洗面キャビネットの有する効果に加え、上記吊持部の貫通孔の内周面の上、下、手前側の３ヶ所に係合溝部が凹設されているため、これらの係合溝部に上記係合突起を係合させることにより、保持部に種々の機能を持たせて幕板の裏面と洗面ボウルの前面部との間の空間を有効に利用することができる。
【００１２】
請求項４に記載の洗面キャビネットは上記のとおりであり、請求項２の洗面キャビネットの有する効果に加え、上記保持部は棒状体を組み合わせて形成され、側面視略Ｌ字型とされているため、吊持部に保持部を種々の形態で組み付け、タオルや手袋等を吊り下げるタオル掛けや載置棚等として使用することができる。
【発明を実施するための最良の形態】
【００１３】
以下、本発明の実施形態について図面を参照して詳細に説明する。図１は、本発明にかかる洗面キャビネットＡの概略構成を示す斜視図である。図１に示すように、上記洗面キャビネットＡは前面に開閉自在な扉６を備え、上部に洗面ボウル５を嵌設したキャビネット１と、キャビネット１の側板１１と側板１１との間に架設された幕板２と、幕板２の裏面の下部に固定された吊持部３（図２）と、この吊持部３に吊持される保持部４とから構成される。上記吊持部３は、図２に示すように、幕板２の裏面の下部の左右端部に固定して用いられる。
【００１４】
図２は、本発明の洗面キャビネットＡにかかる吊持部３と、この吊持部３に吊持される保持部４とを示す分解説明図である。図２に示すように、上記吊持部３の略中央部には幕板２と平行に横方向に貫通する貫通孔３１が穿たれ、この貫通孔３１の内周面には、上、下、手前側中央の３ケ所に、上係合溝部３１１、下係合溝部３１２、手前側係合溝部３１３が凹設されている。
【００１５】
また、図２に示されるように、保持部４は、棒状体を組み合わせて側面視略Ｌ字型に形成され、保持部４の端部に設けられた支持部材４１が上記吊持部３の貫通孔３１に着脱自在に嵌挿される。また、図２に示すように、上記支持部材４１には、貫通孔３１の内周面に凹設された上記係合溝部に係合する係合突起４１１が凸設され、この係合突起４１１を上係合溝部３１１、下係合溝部３１２あるいは手前側係合溝部３１３に弾性的に係合離脱自在に係合させることにより、上記側面視略Ｌ字型の保持部４を種々の形態で使用することができる。
【００１６】
図３は、本発明にかかる洗面キャビネットＡの要部を示す側断面図である。図３において、幕板２の側端部はキャビネット１の側板１１にビス止め、接着等公知の方法によって固定され、洗面ボウル５の前面が外部から見えないように側板１１と側板１１との間にしっかりと架設される。
【００１７】
図４、図５、図６は図３に示された吊持部３に保持部４を種々の形態で組み付けた状態を示す説明図である。図４は、上記貫通孔３１に凹設された上係合溝部３１１に係合突起４１１を弾性的に係合させた形態を示し、この形態においては、図１に示すように、保持部４を構成する棒状体はタオルや手袋等をかけるタオル掛けとして機能する。
【００１８】
図５は、上記貫通孔３１に凹設された手前側係合溝部３１３に係合突起４１１を弾性的に係合させた他の形態を示し、この形態においても保持部４を構成する棒状体はタオルや手袋等をかけるタオル掛けとして機能し、幕板２の裏面と洗面ボウル５の前面部との間の空間を上方からタオルや手袋等を吊り下げて仮干ししたり、収納するスペースとして有効に利用することができる。
【００１９】
図６は、上記貫通孔３１に凹設された下係合溝部３１２に係合突起４１１を弾性的に係合させたさらに他の形態を示し、この形態においては、保持部４は、図４、図５と同様にタオルや雑巾等を吊り下げて仮干しすることができるとともに、載置棚としても利用できる。また、図４、図５、図６に示すようにして保持部４を使用する必要のないときは、支持部材４１を貫通孔３１から抜き去り、簡単に図３に示す状態とすることができる。
【００２０】
上記した実施形態においては保持部４が側面視Ｌ字型の場合について述べたが、Ｌ字型に限られず、側面視Ｉ字型としてもよい。また、単に幕板の裏面両端に固定されたフック状の吊持部に棒状の保持部を着脱自在に組み付けてもよい。このように、本発明は種々設計変更可能であり、特許請求の範囲を逸脱しない限り、いずれも本発明の技術的範囲に属する。
【図面の簡単な説明】
【００２１】
【図１】本発明にかかる洗面キャビネットの概略構成を示す斜視図である。
【図２】本発明の洗面キャビネットにかかる吊持部と保持部とを示す分解説明図である。
【図３】本発明にかかる洗面キャビネットの要部を示す側断面図である。
【図４】本発明にかかる洗面キャビネットの吊持部に保持部を組み付けた一形態を示す説明図である。
【図５】本発明にかかる洗面キャビネットの吊持部に保持部を組み付けた他の形態を示す説明図である。
【図６】本発明にかかる洗面キャビネットの吊持部に保持部を組み付けたさらに他の形態を示す説明図である。
【符号の説明】
【００２２】
Ａ          本発明にかかる洗面キャビネット
１          キャビネット
１１        側板
２          幕板
３          吊持部
３１        貫通孔
３１１      上係合溝部
３１２      下係合溝部
３１３      手前側係合溝部
４          保持部
４１        支持部材
４１１      係合突起
５          洗面ボウル
６          扉
【図１】
2008093061.tif 000003
【図２】
2008093061.tif 000004
【図３】
2008093061.tif 000005
【図４】
2008093061.tif 000006
【図５】
2008093061.tif 000007
【図６】
2008093061.tif 000008